(57)【特許請求の範囲】
【請求項１】
角度（θ１）を持って２枚の吸音板を突合せて接着した、２つの傾斜面（２，２）及び端部（５，５）を有する山型状の天井用吸音パネル（１）であって、山型先端部（６）の裏面には、吸音性能を確保するための空間部（７）が形成されていることを特徴とする天井用吸音パネル。
【請求項２】
前記端部（５，５）が、水平面（３，３）および垂直面（４，４）で形成されている、請求項１に記載の天井用吸音パネル。
【請求項３】
以下の工程を有することを特徴とする天井用吸音パネルの製造方法。
吸音板（ｗ）を、角度（θ１）の傾斜を有する型の上に置き、その一端（８）を山型形成用に斜めカット（Ｃ１）する工程、
吸音板（ｗ）を、角度（θ２）の傾斜を有する型の上に置き、上記斜めカットされていない他端（１２）に切込み（Ｃ２）を入れ、かつカット（Ｃ３）する工程、
上記２つの工程で作成された吸音板を２枚用意し、それぞれの一端（８）同士を突合せて接着する工程、
上記接着した部分を研磨する工程、
不燃性不織布を全体に平貼りする工程、および
小口部（９）を額貼仕上げする工程。
【請求項４】
前記カット（Ｃ３）が、水平面（３，３）および垂直面（４，４）を形成する、請求項３に記載の天井用吸音パネルの製造方法。
【請求項５】
以下の工程を有することを特徴とする、請求項１又は２に記載の天井用吸音パネルの施工方法。
既設天井に、吸音パネル（１）の取付け位置を決めるための墨出し線（１３）を引く工程、
吸音パネル（１）を固定するための見切り材（１５）を天井に取付ける工程、
吸音パネル（１）をスライドさせて端部（５，５）を見切り材（１５）に挿入する工程、および
ビスで固定する工程。
【請求項６】
端部（５，５）に両面テープを貼り付けて見切り材（１５）に挿入することを特徴とする請求項５記載の天井用吸音パネルの施工方法。
【発明の詳細な説明】
【技術分野】
【０００１】
本発明は、既存の建物に取付けるのに好適な吸音天井板、詳細には、天井の高さをそれほど減ずることなく施工することのできる吸音天井板、吸音天井板の製造方法および施工方法に関する。
【背景技術】
【０００２】
既存の建物に吸音天井板を取付けようとする場合、その方法としては例えば図１１に示すものがある。
図１１は、従来の吸音天井板施工の一例を示す、斜め上方から見た全体構造図（ａ）、および部分断面図（ｂ）である。この施工方法は、図示しない既設天井の梁等からワイヤー１００によってＴバー１０１（クロスＴバー１０１ａおよびメインＴバー１０２ｂ）を垂下し、Ｔバー１０１同士あるいはＴバー１０１と廻り縁（Ｌレバー）１０２とに囲まれて形成されたセクションに吸音パネル１０３を落とし込むものである。吸音パネル１０３を入れていないセクション１０４等は照明器具、エアコン等の設置用スペースであり、また、ワイヤー１００はブレース１０５で補強しておくのが一般的である。
【０００３】
上記施工方法を採用した先行技術として、特許文献１の天井パネルおよび天井パネル装置、および特許文献２の天井吸音体及びその施工法を挙げることができる。
【先行技術文献】
【特許文献】
【０００４】
【特許文献１】特開２００１−２２７２８９号公報
【特許文献２】特開平５−１７１７３１号公報
【発明の開示】
【発明が解決しようとする課題】
【０００５】
上記Ｔバーを垂下して吸音材を落とし込む施工方法では、ワイヤーの長さとＴバーの高さ分が確実に天井全体を低くする。天井全体が低くなると室内が狭く使いにくくなり、また、圧迫感や陰気な印象を受けることが避けられない。
【０００６】
本発明は、天井の高さをそれほど減ずることなく自在な配置で取付けることができ、吸音機能も十分に確保することができる既設建造物用の吸音天井板を提供することを目的とする。
【課題を解決するための手段】
【０００７】
上記課題を解決するため、本発明の天井用吸音パネルは、一定の角度を持って２枚の吸音板を突合せて接着した山型状の天井用吸音パネルであって、２つの傾斜面は水平面および垂直面で形成された端部を有し、山型先端部の裏面には、吸音性能を確保するための空間部が形成されている。
【０００８】
また本発明の天井用吸音パネルの製造方法は以下の工程を有することを特徴とする。
吸音板を、一定の角度の傾斜を有する型の上に置き、その一端を山型形成用に斜めカットする工程、
吸音板を、一定の角度の傾斜を有する型の上に置き、上記斜めカットされていない他端に切込みを入れ、かつカットして、水平面および垂直面を形成する工程、
上記２つの工程で作成された吸音板を２枚用意し、それぞれの一端同士を突合せて接着する工程、
上記接着した部分を研磨する工程、
不燃性不織布を全体に平貼りする工程、および
小口部を額貼仕上げする工程。
【０００９】
さらに本発明の天井用吸音パネルの施工方法は、以下の工程を有することを特徴とする。
既設天井に、吸音パネルの取付け位置を決めるための墨出し線を引く工程、
吸音パネルを固定するための見切り材を天井に取付ける工程、
吸音パネルをスライドさせて、その端部を見切り材に挿入する工程、および
ビスで固定する工程。
上記端部には、両面テープを貼り付けて見切り材に挿入することが好ましい。
【発明の効果】
【００１０】
本発明の吸音パネルは、既設天井に見切り材を使用して直接取付けることができるため、天井の高さの減少を最少に抑えることができる。また、山型先端部の裏面に吸音性能を確保するための空間部が設けられているため、施工後は吸音パネルと天井との間に三角形の空間ができ、この空間によって吸音性能を発揮することができる。
更に、本願の吸音パネルは２枚の吸音板を突合せた山型形状をしているため、反らせて嵌め込むことができ、特に最後の１枚を施工する場合に有効である。
【図面の簡単な説明】
【００１１】
【図１】本発明の天井用吸音パネルの一例を示す斜視図
【図２】本発明の天井用吸音パネル製造方法の一例を示す断面図
【図３】本発明の天井用吸音パネル製造方法の一例を示す断面図
【図４】本発明の天井用吸音パネルを既設天井に取付ける手順の一例を示す平面図
【図５】本発明の天井用吸音パネルを既設天井に取付ける手順の一例を示す平面図
【図６】本発明に係る見切り材の説明図
【図７】本発明の天井用吸音パネルを既設天井に取付ける手順の一例を示す平面図
【図８】本発明の天井用吸音パネルの配置例を示す平面図
【図９】本発明の天井用吸音パネルの配置例を示す平面図
【図１０】本発明の天井用吸音パネルの配置例を示す平面図
【図１１】（ａ）は従来の吸音天井板施工の一例を示す、斜め上方から見た全体構造図、（ｂ）は部分断面図
【発明を実施するための最良の形態】
【００１２】
以下に本発明の実施の形態を図に基づいて詳細に説明する。図１に示すように、天井用吸音パネル１は、角度を持って２枚の吸音板を突合せて山型に接着したものであって、２つの傾斜面２，２は水平面３、３および垂直面４，４で形成された端部５，５を有し、山型先端部６の裏面には、吸音性能を確保するための空間部７が形成されている。
【００１３】
天井用吸音パネル１を製造するには、まずグラスウール製等の吸音ボードを用意し所定の寸法にカットする。例えば４５０×２５０ｍｍ、あるいは６００×２５０ｍｍの吸音板ｗを偶数枚作成する。
【００１４】
次に、図２に示すように、吸音板ｗを角度θ１を持って傾斜した型１０の上に置き、その一端８を山型形成用に斜めカットする（Ｃ１線で表示）する。さらに、図３に示すように吸音板ｗを角度θ２を持って傾斜した型１１の上に置き、他端１２に切込みを入れ（Ｃ２線）およびカットして（Ｃ３線）、天井用吸音パネル１の水平面３、３および垂直面４，４となるべき形状を作る。
【００１５】
上記のように細工された吸音板ｗを２枚用意し、それぞれの端８同士を突合せて接着すると図１に示した形状が完成する。突合せ接着した部分は、はみ出した接着剤やグラスウール繊維を削って滑らかにするためにサンドペーパーなどで研磨する。その後、ガラスペーパーのような不燃性不織布を全体に平貼りし、さらに小口部９を額貼仕上げして製品を仕上げる。こうして完成した吸音パネル１は、たとえば端部５の厚さが５ｍｍで長さが４５０ｍｍまたは６００ｍｍ、小口部９の幅が４４５ｍｍである。
【００１６】
本発明の天井用吸音パネル１の既設天井への取付けの例を以下に記載する。図４に示すように、既設天井に、吸音パネル１の取付け位置を決めるため墨出し線１３を引く。このとき、照明１４、火災報知機、空調機器などを避けて取付け位置を決める。
【００１７】
次に図５に示すように見切り材１５を取付ける。見切り材１５は吸音パネル１を既設天井に固定するための治具であり、詳細は図６に示すように塩化ビニル樹脂等のプラスチックで成形されたコの字型の棒状部材である。
【００１８】
次に図７に示すように吸音パネル１を取付ける。取付け方法としては、吸音パネル１をスライドさせて端部５，５を見切り材１５に挿入する。このとき、位置ズレを防ぐため端部５，５に両面テープを貼り付けて見切り材１５に挿入することが好ましい。その後ビスで固定することにより脆弱なグラスウール製の吸音パネル１であっても確実に取付けることが可能となる。
【００１９】
本発明の天井用吸音パネル１は、見切り材１５の取付けが簡単で自由度が高いため、図７に示したような直線・並列状の施工だけでなく様々な配置を行うことができる。図８〜図１０は本発明の天井用吸音パネルの配置例を示す平面図である。図８は吸音パネル１同士の間隔を開けたて設置した例、図９は２色の吸音パネル１をチェス柄に配置した例、および図１０は長尺の吸音パネル１を互い違いに配置した例である。
【産業上の利用可能性】
【００２０】
本発明の天井用吸音パネルは、既設天井に見切り材を取付けるだけで、天井の高さをそれほど減ずることなく自在な配置で取付けることができる。したがって一般家庭、工場、倉庫、店舗等、どのような既設建造物にでも設置することができる。
【符号の説明】
【００２１】
１…天井用吸音パネル、２…傾斜面、３…水平面、４…垂直面、５…端部、６…山型先端部、７…空間部、８…一端部、９…小口部、１０，１１…傾斜型、１２…端部、１３…墨出し線、１４…照明、１５…見切り材、ｗ…吸音板。
【図１】
0005511455.tif 000002
【図２】
0005511455.tif 000003
【図３】
0005511455.tif 000004
【図４】
0005511455.tif 000005
【図５】
0005511455.tif 000006
【図６】
0005511455.tif 000007
【図７】
0005511455.tif 000008
【図８】
0005511455.tif 000009
【図９】
0005511455.tif 000010
【図１０】
0005511455.tif 000011
【図１１】
0005511455.tif 000012